(57)【要約】【課題】加圧機を用いずに止水性能を向上させること。【解決手段】ワイヤーハーネスＷＨと、筒部２２を有し、ワイヤーハーネスＷＨが内周側に配設されるグロメット２０と、ワイヤーハーネスＷＨと筒部２２との間に介在される止水材料３０と、筒部２２を周方向に囲むように設けられると共に内周側に縮小変形可能なカラー部材４０と、帯状のバンド部５２を有し、当該バンド部５２でカラー部材４０を締付けた状態を維持可能な締付部材５０とを備え、締付部材５０より幅広に形成されているカラー部材４０を、締付部材５０により外周側から締付けて内周側に縮小変形させることにより、止水材料３０がワイヤーハーネスＷＨと筒部２２との間に行き亘って介在している。【選択図】図２
2012157216.tif 000002
【特許請求の範囲】
【請求項１】
ワイヤーハーネスと、
筒部を有し、前記ワイヤーハーネスが内周側に配設される止水用外装部材と、
前記ワイヤーハーネスと前記止水用外装部材の前記筒部との間に介在される止水材料と、
前記止水用外装部材の前記筒部を周方向に囲むように設けられると共に内周側に縮小変形可能なカラー部材と、
線状又は帯状のバンド部を有し、前記バンド部が前記カラー部材を締付けた状態を維持可能な締付部材と、
を備え、
前記締付部材より幅広に形成されている前記カラー部材を、前記締付部材により外周側から締付けて内周側に縮小変形させることにより、前記止水材料が前記ワイヤーハーネスと前記止水用外装部材の前記筒部との間に行き亘って介在している、ワイヤーハーネス止水構造部。
【請求項２】
請求項１に記載のワイヤーハーネス止水構造部であって、
前記カラー部材は、断面視Ｃ字形状に形成されている、ワイヤーハーネス止水構造部。
【請求項３】
請求項１に記載のワイヤーハーネス止水構造部であって、
前記カラー部材は、断面視弧状に形成された弧状片を一対有している、ワイヤーハーネス止水構造部。
【請求項４】
請求項１〜請求項３のいずれか一項に記載のワイヤーハーネス止水構造部であって、
前記カラー部材は、前記止水材料が介在している範囲と同じかそれより大きい幅寸法に設定されている、ワイヤーハーネス止水構造部。
【発明の詳細な説明】
【技術分野】
【０００１】
本発明は、ワイヤーハーネスの止水技術に関する。
【背景技術】
【０００２】
ワイヤーハーネスに外装される止水用外装部材の内側の止水処理として、ワイヤーハーネスと止水用外装部材との間に止水材料を介在させて、止水材料をワイヤーハーネスと止水用外装部材との間に行き亘らせるように止水用外装部材の上から加圧することがある。この加圧作業は、一般的に加圧機を用いて行われる。しかしながら、加圧機を用いる場合、ワイヤーハーネスを加圧機の位置まで搬送する必要があると共に、加圧機に係る設備導入費及び維持費がかかってしまう。
【０００３】
一方、特許文献１に開示されているワイヤーハーネス用グロメットは、ワイヤーハーネス挿通孔の内周面に厚肉の軟質スリーブを取り付け、グロメットの外周部に取り付けたバンドにより、軟質スリーブの部分を締め付けてワイヤーハーネスに密着させるように構成されている。
【先行技術文献】
【特許文献】
【０００４】
【特許文献１】実開平５−９０７５０号公報
【発明の概要】
【発明が解決しようとする課題】
【０００５】
しかしながら、加圧機を用いずに特許文献１の技術を採用する場合、グロメットをバンドで締め付けるため、ワイヤーハーネスの延在方向においてより広い範囲で軟質スリーブを密着させることは困難であり、止水性能を向上させることが難しくなっている。
【０００６】
そこで、本発明は、加圧機を用いずに止水性能を向上させることを目的とする。
【課題を解決するための手段】
【０００７】
第１の態様は、ワイヤーハーネスと、筒部を有し、前記ワイヤーハーネスが内周側に配設される止水用外装部材と、前記ワイヤーハーネスと前記止水用外装部材の前記筒部との間に介在される止水材料と、前記止水用外装部材の前記筒部を周方向に囲むように設けられると共に内周側に縮小変形可能なカラー部材と、線状又は帯状のバンド部を有し、前記バンド部で前記カラー部材を締付けた状態を維持可能な締付部材とを備え、前記締付部材より幅広に形成されている前記カラー部材を、前記締付部材により外周側から締付けて内周側に縮小変形させることにより、前記止水材料が前記ワイヤーハーネスと前記止水用外装部材の前記筒部との間に行き亘って介在している。
【０００８】
第２の態様は、第１の態様に係るワイヤーハーネス止水構造部であって、前記カラー部材は、断面視Ｃ字形状に形成されている。
【０００９】
第３の態様は、第１の態様に係るワイヤーハーネス止水構造部であって、前記カラー部材は、断面視弧状に形成された弧状片を一対有している。
【００１０】
第４の態様は、第１〜第３のいずれか一態様に係るワイヤーハーネス止水構造部であって、前記カラー部材は、前記止水材料が介在している範囲と同じかそれより大きい幅寸法に設定されている。
【発明の効果】
【００１１】
第１の態様に係るワイヤーハーネス止水構造部によると、ワイヤーハーネスが内周側に配設される止水用外装部材の筒部と当該ワイヤーハーネスとの間に止水材料が介在され、筒部を周方向に囲むように設けられるカラー部材を締付部材により外周側から締付けて内周側に縮小変形させることにより、当該止水材料がワイヤーハーネスと筒部との間に行き亘って介在しているため、止水用外装部材の筒部の内側の止水性を確保することができる。しかも、カラー部材が締付部材より幅広に形成されているため、締付部材によりカラー部材を締付けると、カラー部材の幅寸法の範囲で筒部を押圧することができ、止水材料をより広い範囲で筒部とワイヤーハーネスとの間に行き亘らせることができる。これにより、加圧機を用いずに止水性能を向上させることができる。
【００１２】
第２の態様に係るワイヤーハーネス止水構造部によると、カラー部材が断面視Ｃ字形状に形成されているため、締付部材によりカラー部材を締付けることにより、断面視Ｃ字形状の開口部分を狭めるようにして内周側に縮小変形させることができる。
【００１３】
第３の態様に係るワイヤーハーネス止水構造部によると、カラー部材が一対の弧状片を有しているため、締付部材によりカラー部材を締付けることにより、一対の弧状片の各両端部同士の間隔を小さくするようにして内周側に縮小変形させることができる。
【００１４】
第４の態様に係るワイヤーハーネス止水構造部によると、カラー部材が、止水材料が介在している範囲と同じかそれより大きい幅寸法に設定されているため、止水材料が介在している範囲全体で、当該止水材料を止水用外装部材の筒部とワイヤーハーネスとの間に行き亘らせることができる。
【図面の簡単な説明】
【００１５】
【図１】ワイヤーハーネス止水構造部を示す図である。
【図２】図１のＩＩ−ＩＩ線断面図である。
【図３】図２のＩＩＩ−ＩＩＩ線断面図である。
【図４】カラー部材を示す図である。
【図５】変形例に係るカラー部材を示す図である。
【図６】変形例に係るワイヤーハーネス止水構造部を示す図である。
【図７】図６のＶＩＩ−ＶＩＩ線断面図である。
【発明を実施するための形態】
【００１６】
以下、実施形態に係るワイヤーハーネス止水構造部１０について説明する（図１、図２参照）。ワイヤーハーネス止水構造部１０は、ワイヤーハーネスＷＨと当該ワイヤーハーネスＷＨに外装されている止水用外装部材との間の止水を行った部分である。
【００１７】
対象となるワイヤーハーネスＷＨは、例えば自動車に配索されるものであり、各種電子機器等に対して電源供給又は信号伝達を行う複数の電線等が結束されて構成されている。ワイヤーハーネスＷＨに組み込まれる複数の電線は、延在方向において部分的又は全体的にテープ巻きされることにより結束されている。ここでは、複数の電線が部分的にテープ巻きされており、止水用外装部材とワイヤーハーネスＷＨの外周部に位置する複数の電線との間において止水性を確保する例で説明する。もっとも、複数の電線が全体的にテープ巻きされている場合には、止水用外装部材とワイヤーハーネスＷＨの外周部のテープとの間において止水性を確保する。また、ここでは、ワイヤーハーネスＷＨは、全体として、断面視略円形に結束されているものとする。さらに、ここでは、ワイヤーハーネスＷＨのうち、金属パネル２に形成された貫通孔２ｈに挿通して配索される部分を対象とする例で説明する。なお、貫通孔２ｈは略円形に形成されているものとする。
【００１８】
本ワイヤーハーネス止水構造部１０は、上記ワイヤーハーネスＷＨと、止水用外装部材としてのグロメット２０と、止水材料３０と、カラー部材４０と、締付部材５０とを備えている（図２参照）。
【００１９】
グロメット２０は、ワイヤーハーネスＷＨの貫通孔２ｈの周縁部からの保護、ワイヤーハーネスＷＨの貫通孔２ｈとの接触による異音防止及び貫通孔２ｈの内外における止水性を確保するための部材である。このグロメット２０は、ワイヤーハーネスＷＨを挿通配設可能に形成されている。
【００２０】
より具体的には、グロメット２０は、挿通方向に連続する筒部２２と取付部２６とを有している。ここでは、グロメット２０は、全体として断面視円環状に形成されている。また、このグロメット２０は、ゴム等のエラストマーを射出成型することにより、筒部２２及び取付部２６が一体に形成されている。
【００２１】
筒部２２は、ワイヤーハーネスＷＨに外嵌めされる部分である。より具体的には、筒部２２は、ワイヤーハーネスＷＨの外周形状より小さい内周形状を有し、当該ワイヤーハーネスＷＨを締付けるように外周部に装着可能に形成されている。なお、本ワイヤーハーネス止水構造部１０では、ワイヤーハーネスＷＨと筒部２２との間に止水材料３０が介在されるため、筒部２２は、ワイヤーハーネスＷＨの外周部に対して部分的に接触した状態又は非接触の状態となる。ここでは、筒部２２は、ワイヤーハーネスＷＨの外周形状に対応して略円筒形に形成されている。もっとも、筒部２２は、ワイヤーハーネスＷＨの外周形状に対応した形状に形成されていればよく、例えば、ワイヤーハーネスＷＨが断面視楕円形に結束されている場合、楕円筒状に形成されているとよい。また、筒部２２は、先端部（貫通方向において取付部２６の逆側の端部）の周方向に沿って、外周側に向けて突出する凸条部２３を有している。
【００２２】
取付部２６は、貫通孔２ｈに対して取り付け可能に形成されている部分である。より具体的には、取付部２６は、筒部２２より大きい外周形状を有し、筒部２２と逆側の部分がワイヤーハーネスＷＨの外部形状より大きい内部形状に形成されている。
【００２３】
この取付部２６は、周方向に沿って、外周側に開口する溝条に形成されている嵌合部２７を有している。嵌合部２７は、貫通孔２ｈの周縁部を内部に配設可能に形成されている。より具体的には、嵌合部２７は、底部が貫通孔２ｈの周縁部と略同サイズの円周上に延在するように設定されている。また、嵌合部２７の対向する一対の側壁部は、その開口側部分で嵌合部２７の幅方向内側に突出するように形成されている。また、取付部２６は、嵌合部２７を挟んで挿入方向前方側部分が後方側部分より小径に設定されている。すなわち、挿入方向前方側部分を貫通孔２ｈに挿通しやすくすると共に、後方側部分が貫通孔２ｈを通過し難くなっている。
【００２４】
ここでは、取付部２６は、貫通孔２ｈの形状に対応して断面視略円形に形成されているが、これに限られるものではない。例えば、貫通孔が楕円形に形成されている場合、取付部は、貫通孔の形状に対応して、全体として断面視楕円形に形成されているとよい。
【００２５】
そして、上記グロメット２０は、筒部２２を外周側に拡げてワイヤーハーネスＷＨを挿通することにより、当該ワイヤーハーネスＷＨに対して装着されている。また、貫通孔２ｈに対して取付部２６を装着する際には、嵌合部２７より挿入方向前方側部分を貫通孔２ｈに挿通することにより、嵌合部２７の内部に貫通孔２ｈの周縁部が配設される。そして、嵌合部２７の底部が貫通孔２ｈの周縁部に対して内外方向に当接すると共に、一対の側壁部が貫通孔２ｈの周縁部に対して挿入方向前後方から挟むように当接することにより、貫通孔２ｈが形成された金属パネル２に対してグロメット２０が固定される。
【００２６】
止水材料３０は、ワイヤーハーネスＷＨとグロメット２０の筒部２２との間で、筒部２２の貫通方向両側における止水性を保持するためのものであり、ワイヤーハーネスＷＨと筒部２２との間に行き亘って介在している（図２、図３参照）。
【００２７】
ここでは、止水材料３０は、ブチルシートであり、ワイヤーハーネスＷＨの外周部に巻き付けた状態でグロメット２０の筒部２２が外嵌めされることにより、ワイヤーハーネスＷＨと筒部２２との間に介在する。ここで、ブチルシートとは、ブチルゴム製のシートであり、比較的小さい力で変形可能な材料である。また、ブチルシートは、防水性に優れる材料である。
【００２８】
そして、止水材料３０は、筒部２２が内周側に向けて押圧されると、ワイヤーハーネスＷＨと筒部２２との間に行き亘る。より具体的には、止水材料３０は、ワイヤーハーネスＷＨの外周部に位置する複数の電線同士の隙間に入り込んで、ワイヤーハーネスＷＨと筒部２２との間を充填する（図３参照）。より好ましくは、ワイヤーハーネスＷＨの外周部に位置する複数の電線同士の隙間だけでなく、より内側の電線同士の隙間にまで入り込んでいるとよい。
【００２９】
もっとも、止水材料３０は、ブチルシートに限定されるものではなく、ワイヤーハーネスＷＨの外部形状に柔軟に対応して、ワイヤーハーネスＷＨと筒部２２との間を充填可能であればよい。例えば、止水材料としては、硬化後にゴム状となるブチル系、シリコン系、ポリウレタン系等の高粘度の液状のシーリング材も採用することができる。すなわち、このような止水材料を外周上に塗布したワイヤーハーネスＷＨにグロメット２０の筒部２２を外嵌めし、筒部２２を内周側に押圧することにより、止水材料をワイヤーハーネスＷＨと筒部２２との間に行き亘らせることができる。
【００３０】
なお、これまで、グロメット２０について、筒部２２の内周形状がワイヤーハーネスＷＨの外周形状より小さい例で説明したが、外周上に止水材料３０を設けたワイヤーハーネスＷＨを締付けるように外嵌め可能であればよい。
【００３１】
上記グロメット２０の筒部２２の外周側には、当該筒部２２を囲むようにカラー部材４０が設けられ、カラー部材４０の外周側には、当該カラー部材４０を締付け可能な締付部材５０が設けられている（図１〜図３参照）。
【００３２】
締付部材５０は、線状又は帯状のバンド部５２を有し、当該バンド部５２がカラー部材４０を締付けた状態を維持可能に形成されている。ここでは、締付部材５０は、タイバンドである（図３参照）。タイバンドとは、環状部分の周長を段階的に調節可能であると共に保持可能な部材である。より具体的には、タイバンドは、複数の被係止部５３が長手方向に並んで形成された帯状のバンド部５２と、当該バンド部５２の基端部に連結された係止部５４とを有している。この係止部５４は、バンド部５２を挿通可能な挿通孔を有する筐部５５と、当該筐部５５に挿入されるバンド部５２の複数の被係止部５３に係止可能な係止爪５６とを有している（図３参照）。そして、係止部５４の筐部５５にバンド部５２が挿通された状態で、バンド部５２が環状に延在した環状部分が形成され、係止爪５６が複数の被係止部５３に対して選択的に係止することにより、環状部分の周長を調節して任意の周長に保持することができる。
【００３３】
もっとも、締付部材５０は、バンド部５２により形成される環状部分の周長を縮めて維持可能であればよく、タイバンドに限られるものではない。例えば、締付部材として、ワイヤーを採用することができる。すなわち、バンド部としての中間部分で環状部分を形成するようにワイヤーの両端部を交差させ、当該両端部をねじることにより環状部分の周長を縮めて締付けることができる。
【００３４】
カラー部材４０は、グロメット２０の筒部２２を周方向に囲むように設けられると共に内周側に縮小変形可能に形成されている。ここで、筒部２２を周方向に囲むとは、筒部２２を周方向に亘って全体的に囲んでいる態様に限らず、カラー部材４０が内周側に縮小変形される際に、筒部２２を周方向全体的に内周側に変形させることができればよい。
【００３５】
ここでは、カラー部材４０は、断面視Ｃ字形状の帯状に形成されている（図４参照）。すなわち、断面視Ｃ字形状の開口部の隙間が小さくなることにより、内周側に縮小変形可能である。また、カラー部材４０は、締付部材５０より幅広に形成されている（図１、図２参照）。より具体的には、カラー部材４０は、止水材料３０が介在している範囲と同じかそれより大きい幅寸法（ここでは同じ寸法）に設定されている。
【００３６】
このカラー部材４０は、止水用外装部材としてのグロメット２０（筒部２２）より弾性変形し難い合成樹脂材料で形成されている。より具体的には、カラー部材４０は、幅方向一部を締付部材５０により外周側から締付けられることにより、幅方向全体で筒部２２を内周側に向けて押圧可能な程度に弾性変形し難いとよい。すなわち、カラー部材４０は、幅方向一部でも内周側に向かう力が加えられたときに、幅方向全体が内周側に向けて縮小変形する。例えば、カラー部材４０の材料としては、ＰＰ（ポリプロピレン）、硬質ＰＶＣ（ポリ塩化ビニル）等を採用することができる。なお、筒部２２を広範囲で押圧する観点から言うと金属材料を採用することも可能であるが、筒部２２の傷つき抑制の観点から言うとグロメット２０の材料より弾性変形し難い合成樹脂材料が好ましい。
【００３７】
そして、本ワイヤーハーネス止水構造部１０では、締付部材５０によりカラー部材４０を外周側から締付けて内周側に縮小変形させることにより、止水材料３０がワイヤーハーネスＷＨとグロメット２０の筒部２２との間に行き亘って介在している（図３参照）。より具体的には、グロメット２０の筒部２２を周方向に囲むように設けられたカラー部材４０を、締付部材５０により締付けると、カラー部材４０は、開口部４２を狭めるように縮小変形されて筒部２２を内周側に押圧する。このとき、締付部材５０により加えられた内周側に向かう押圧力は、カラー部材４０により、その幅方向全体の範囲の内周側に向かう押圧力として筒部２２に伝えられる。そして、ワイヤーハーネスＷＨと筒部２２との間に介在している止水材料３０は、筒部２２が当該止水材料３０と略同じ幅寸法に設定されたカラー部材４０に押圧されることにより、ワイヤーハーネスＷＨの延在方向において全体的に筒部２２により内周側に押圧される。これにより、止水材料３０は、ワイヤーハーネスＷＨの外周部に押し付けられて、ワイヤーハーネスＷＨと筒部２２との間に充填された状態となっている。
【００３８】
もっとも、カラー部材４０は、内周側に縮小変形可能であればよく、断面視Ｃ字形状に限られるものではない。例えば、図５に示すような、断面視弧状の弧状片１４４を一対有するカラー部材１４０を採用することもできる。このカラー部材１４０は、一対の弧状片１４４の両端部同士を間隔をあけて突き合わせた状態で筒部２２を周方向に囲うように設けられ、一対の弧状片１４４が近接されて両端部同士の間隔が小さくなることにより、内周側に縮小変形可能である。なお、このような分割形態のカラー部材として、他にも、３以上の複数の弧状片を組み合わせたものも採用することができる。
【００３９】
また、カラー部材として、環状に形成されたものを採用することもできる。もっとも、この場合には、グロメット２０の材料より弾性変形し難く、且つ、幅方向一部に加えられる力により幅方向全体的に内周側に縮小変形可能な材料を採用する必要がある。
【００４０】
これまで、ワイヤーハーネス止水構造部１０について、止水用外装部材としてのグロメット２０の筒部２２の内側に止水材料３０が設けられて、当該筒部２２の外周側にカラー部材４０及び締付部材５０が設けられている例で説明してきたが、これに限られるものではない。例えば、図６、図７には、止水材料３０、カラー部材４０及び締付部材５０の位置を変更したワイヤーハーネス止水構造部１１０を示している。ワイヤーハーネス止水構造部１１０は、グロメット２０の筒部２２とその側方のワイヤーハーネスＷＨとの境界部分に巻き付けられたテープにより構成される止水用外装部材としてのテープ巻き部１２０を有している。すなわち、テープ巻き部１２０は、ワイヤーハーネスＷＨが内周側に配設されている。また、テープ巻き部１２０のうちワイヤーハーネスＷＨの外周部を覆うように位置する筒部１２２とワイヤーハーネスＷＨとの間には止水材料３０が介在され、当該筒部１２２の外周側にはカラー部材４０及び締付部材５０が設けられている。そして、締付部材５０が締付けられることによりカラー部材４０が内周側に縮小変形すると、当該カラー部材４０によりその幅寸法全体で内周側に押圧されたテープ巻き部１２０の筒部１２２が止水材料３０をワイヤーハーネスＷＨの外周部に押し付ける。これにより、ワイヤーハーネスＷＨと筒部１２２との間に止水材料３０が充填された状態となっている。
【００４１】
また、ワイヤーハーネス止水構造部は、貫通孔２ｈの内外における止水用途に限らず、ワイヤーハーネスＷＨのうち電線のコネクタ接続部分等のグロメット又はテープ巻き部に用いられてもよい。
【００４２】
実施形態に係るワイヤーハーネス止水構造部１０によると、グロメット２０の筒部２２と当該ワイヤーハーネスＷＨとの間に止水材料３０が介在され、筒部２２を周方向に囲むように設けられるカラー部材４０を締付部材５０により外周側から締付けて内周側に縮小変形させることにより、当該止水材料３０がワイヤーハーネスＷＨと筒部２２との間に行き亘って介在しているため、グロメット２０の筒部２２の内側の止水を行うことができる。
【００４３】
しかも、カラー部材４０が締付部材５０より幅広に形成されているため、締付部材５０によりカラー部材４０を締付けると、カラー部材４０の幅寸法の範囲で筒部２２を押圧することができ、止水材料３０をより広い範囲で筒部２２とワイヤーハーネスＷＨとの間に行き亘らせることができる。これにより、加圧機を用いずに止水性を向上させることができる。そして、加圧機を省略することにより、設備導入費及びその維持費を削減することができる。また、ワイヤーハーネスＷＨを加圧機まで搬送する工程を省略することができ、ワイヤーハーネスＷＨの組立工程を効率化することができる。
【００４４】
そして、上述したタイバンドのように締め付け用の構造を有する市場に流通する安価な部材を締付部材５０として採用し、幅広なカラー部材４０を締付けることにより止水材料３０をワイヤーハーネスＷＨと筒部２２との間に充填するように構成されている。すなわち、簡単な形状のカラー部材４０を設計、製造し、締め付け用の部材を新たに設計、製造する手間を省くことができるため、止水処理に掛かる手間及びコストを軽減して止水性能の向上を図ることができる。なお、締付部材としてワイヤーを採用する場合にも、タイバンドを採用する場合と同様の効果を得ることができる。
【００４５】
また、締付部材５０によって締付けられたカラー部材４０によって筒部２２が押圧された状態で止水されているため、ワイヤーハーネスＷＨを車両に搭載した後も、車両の走行時の振動等によって止水箇所の位置ずれを抑制することができる。すなわち、止水性能をより確実に維持することができる。
【００４６】
また、カラー部材４０が、止水材料３０が介在している範囲と同じ幅寸法に設定されているため、止水材料３０が介在している範囲全体で、当該止水材料３０をワイヤーハーネスＷＨと筒部２２との間に行き亘らせることができる。
【符号の説明】
【００４７】
１０、１１０  ワイヤーハーネス止水構造部
２０  グロメット
２２  筒部
３０  止水材料
４０  カラー部材
５０  締付部材
５２  バンド部
１２０  テープ巻き部
１２２  筒部
１４０  カラー部材
１４４  弧状片
ＷＨ  ワイヤーハーネス
【図１】
2012157216.tif 000003
【図２】
2012157216.tif 000004
【図３】
2012157216.tif 000005
【図４】
2012157216.tif 000006
【図５】
2012157216.tif 000007
【図６】
2012157216.tif 000008
【図７】
2012157216.tif 000009